(57)【要約】【課題】表示内容を無電源で保持する機能を有する情報表示端末において、セキュリティ機能の高い情報表示端末を提供する。【解決手段】画像データに基づいて画像を表示し、表示内容を無電源で保持可能な媒体を有する表示部と、画像データを表示部に出力し、該表示部の動作を制御する表示制御部と、該表示制御部と独立して配備され、表示部の表示内容を消去する表示消去部と、を有する。【選択図】図２
2009175315.tif 000002
【特許請求の範囲】
【請求項１】
画像データに基づいて画像を表示し、表示内容を無電源で保持可能な媒体を有する表示部と、
前記画像データを前記表示部に出力し、該表示部の動作を制御する表示制御部と、
前記表示制御部と独立して配備され、前記表示部の表示内容を消去する表示消去部と、
を有することを特徴とする情報表示端末。
【請求項２】
前記表示消去部は、該表示消去部の電源である電池と、
前記表示部の表示内容を消去する駆動回路と、
前記駆動回路を起動するスイッチと、
を有することを特徴とする請求項１に記載の情報表示端末。
【請求項３】
前記表示部は、２次元状に配列され前記媒体である複数の表示素子を有し、
前記駆動回路は、前記複数の表示素子の電極を短絡させることを特徴とする請求項２に記載の情報表示端末。
【請求項４】
衝撃を検知する衝撃検知部を有し、
前記スイッチは、前記衝撃検知部の検知結果に基づいて作動することを特徴とする請求項２または３に記載の情報表示端末。
【請求項５】
前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする請求項１乃至４のいずれか１項に記載の情報表示端末。
【発明の詳細な説明】
【技術分野】
【０００１】
本発明は、情報表示端末に関し、特に表示内容を無電源で保持する機能を有した情報表示端末に関する。
【背景技術】
【０００２】
近年、パーソナルコンピュータやインターネット、携帯端末等が急速に普及するに伴い、通信ネットワークを介して新聞、書籍等の電子化された情報を入手して表示する情報表示端末への要望が高まっている。電子情報は、具体的にはＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）等のディスプレイに表示され、人間は、これらの情報表示端末を介して多くの情報を取得し、処理している。その為、人間と情報のインターフェイスである情報表示端末は、より高精度化、省電力化、小型化を目指して開発が進められている。
【０００３】
このような情報表示端末において、現在、紙の利点とディスプレイの利点を兼ね備え、表示内容を無電源で保持する機能（メモリ性）を有したカイラルネマティック液晶等の表示媒体を用いた所謂電子ペーパーを搭載した情報表示端末が研究、開発されている。電子ペーパーは、電気的に書換可能であり、一度表示された情報は電力を必要とせずに保持され、また、目への刺激が少なく、紙のように薄膜軽量で持ち運びが自由で、フレキシブルである等の特徴を具備したものである。この為、電子ペーパーは、バッテリーサイズが小さく、携帯性に優れた情報表示端末を実現することができる。
【０００４】
一方、電子ペーパーは、一度表示された情報は電力を必要とせずに保持される、すなわち、情報表示端末の電源をオフした後にも表示内容が保持される、ので情報が流出する恐れがある。そこで、情報の流出を防止する方法として、情報の閲覧後、電子ペーパー（表示部）に画像データを出力し表示部の動作を制御する表示制御部により表示画面を消去する方法が知られている（例えば、特許文献１、特許文献２参照）
【特許文献１】特開平８−１６０３９５号公報
【特許文献２】特開２００６−３５０１９０号公報
【発明の開示】
【発明が解決しようとする課題】
【０００５】
しかしながら、このような方法は、表示制御部がいつも正常に機能することを前提としたものであり、落下や外力等の衝撃による故障により、表示制御部自身が機能しなくなった場合には対応できるものではない。
【０００６】
電子ペーパーを備えた情報表示端末は、表示制御部が正常に機能しない場合の長時間の残存表示状態、すなわち、表示内容の更新が不能でも表示画面から情報を読取ることが可能である。この為、機密情報が流出する危険性が高くなるという問題がある。
【０００７】
本発明は、上記課題を鑑みてなされたもので、表示内容を無電源で保持する機能を有する情報表示端末において、セキュリティ機能の高い情報表示端末を提供することを目的とする。
【課題を解決するための手段】
【０００８】
上記目的は、下記の１乃至５のいずれか１項に記載の発明によって達成される。
【０００９】
１．画像データに基づいて画像を表示し、表示内容を無電源で保持可能な媒体を有する表示部と、
前記画像データを前記表示部に出力し、該表示部の動作を制御する表示制御部と、
前記表示制御部と独立して配備され、前記表示部の表示内容を消去する表示消去部と、
を有することを特徴とする情報表示端末。
【００１０】
２．前記表示消去部は、該表示消去部の電源である電池と、
前記表示部の表示内容を消去する駆動回路と、
前記駆動回路を起動するスイッチと、
を有することを特徴とする前記１に記載の情報表示端末。
【００１１】
３．前記表示部は、２次元状に配列され前記媒体である複数の表示素子を有し、
前記駆動回路は、前記複数の表示素子の電極を短絡させることを特徴とする前記２に記載の情報表示端末。
【００１２】
４．衝撃を検知する衝撃検知部を有し、
前記スイッチは、前記衝撃検知部の検知結果に基づいて作動することを特徴とする前記２または３に記載の情報表示端末。
【００１３】
５．前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする前記１乃至４のいずれか１項に記載の情報表示端末。
【発明の効果】
【００１４】
本発明によれば、画像データを表示部に出力し、該表示部の動作を制御する表示制御部と独立して、表示部の表示内容を消去する表示消去部を配備する構成とした。したがって、例えば、情報表示端末の落下や外部からの負荷等による故障により、表示制御部自身が機能しなくなった場合においても、表示制御部と独立して配備された表示消去部により表示画面を消去することができる。これにより、機密情報の流失を防止することができ、セキュリティ機能を高めることができる。
【発明を実施するための最良の形態】
【００１５】
以下図面に基づいて、本発明に係る情報表示端末の実施の形態を説明する。尚、本発明を図示の実施の形態に基づいて説明するが、本発明は該実施の形態に限られない。
【００１６】
最初に情報表示端末の外観を図１を用いて説明する。図１は、本発明の実施形態に係る情報表示端末１の外観正面図である。
【００１７】
情報表示端末１は、図１に示すように、表示部１０、電源スイッチ５１１、各種操作・設定を行う十字キー５１２、及び後述する表示消去部３０に表示画面の消去動作を実行させる押しボタンスイッチ３２１等を有する。情報表示端末１は、図示しない通信ネットワークを介して受信した新聞、書籍等の電子化された情報や社内データベース内の社内文書等の電子化された情報を表示部１０に表示する情報表示携帯端末である。
【００１８】
次に、情報表示端末１の要部構成について図２を用いて説明する。図２は、情報表示端末１の概略構成を示すブロック図である。
【００１９】
情報表示端末１の要部は、図２に示すように、表示部１０、表示制御部２０、及び表示消去部３０等から構成される。
【００２０】
表示部１０は、例えば、特開平１０−３２４１５５号公報に記載されている強誘電性液晶から構成される表示装置のように、表示内容を無電源で保持する機能（メモリ性）を有した所謂電子ペーパと称される表示媒体である。電子ペーパは、情報を電気的に書換えることができ、情報の書換え時のみ電力を消費する一方、書換えが終了した後には電力を消費することなく情報を表示させておくことが可能であり、消費電力を抑制することができる。
【００２１】
このようなメモリ性を有する表示媒体としては、前述の強誘電性液晶表示素子の他、例えば、反強誘電性液晶素子、強誘電性高分子液晶表示素子、室温でコレステリック液晶相を示すカイラルネマチック液晶等を用いたコレステリック液晶表示素子、エレクトロクロミック表示素子、電気泳動セルを用いた表示素子、乾式粉体を基板内に封入し電界で移動させて表示を行う粒子移動型表示素子、銀の析出と溶解により表示を行う表示素子、ツイストボールを用いた表示素子等を利用して構成することも可能である。
【００２２】
表示部１０は、このような表示媒体（表示素子）が２次元マトリクス状に配列されて構成されている。各々の表示素子には、後述するように、表示素子を駆動する為の列電極および行電極が接続されている。１つの列電極には、該当する列の表示素子がすべて接続され、１つの行電極には該当する行の表示素子がすべて接続されている。１つの表示素子に対応する列電極、行電極にそれぞれ画像信号、行選択信号を印加する動作を表示素子毎に繰り返す一連の動作により、一画面の表示がなされる。
【００２３】
表示制御部２０は、ＣＰＵ２１、表示ドライバ２２等から構成される。
【００２４】
表示ドライバ２２は、表示部１０に再生表示される画像を構成する画像信号のバッファメモリを備えた表示部１０の駆動回路である。
【００２５】
ＣＰＵ２１は、画像データ（画像信号）を表示ドライバ２２を介して表示部１０に出力する。また、図示しないＲＯＭ（Ｒｅａｄ  Ｏｎｌｙ  Ｍｅｍｏｒｙ）に格納されている各種制御プログラムを実行し、画像信号処理動作や表示部１０の表示動作を制御する。
【００２６】
表示消去部３０は、表示制御部２０と電気的に独立して配備され、表示部１０の表示画面を消去する。
【００２７】
次に、表示消去部３０の構成について図３を用いて説明する。図３は、表示消去部３０の概略構成を示すブロック図である。
【００２８】
表示消去部３０は、図３に示すように、表示部１０の表示画面を消去する駆動回路３１、駆動回路３１を起動するスイッチ３２、及び駆動回路３１の電源である電池３３等から構成される。
【００２９】
図４に駆動回路３１の具体例を示す。
【００３０】
先ず、表示部１０には、前述のように、表示素子Ｐｘが２次元マトリクス状に配列され、各々の表示素子Ｐｘには、表示素子Ｐｘを駆動する為の列電極１０１および行電極１０２が接続されている。
【００３１】
駆動回路３１は、列ショート回路３１１、行ショート回路３１２等から構成される。列ショート回路３１１には、スイッチ３２により駆動回路３１に電源が投入されることにより全ての列電極１０１をショートする電極が設けられている。同様に行ショート回路３１２には、スイッチ３２により駆動回路３１に電源が投入されることにより全ての行電極１０２をショートする電極が設けられている。全ての列電極１０１、行電極１０２がそれぞれショートされることにより、各々の表示素子Ｐｘには、等しい駆動電圧が印加され、発光強度が等しくなる。これにより、表示画面は、均一になりそれまで表示されていた画像が消去される。また、このような簡易な構成で確実に表示画面を消去することができる。
【００３２】
図５にスイッチ３２の具体例を示す。
【００３３】
スイッチ３２には、図５に示すように、押しボタンスイッチ３２１を用いることができる。表示画面を消去したい場合には、押しボタンスイッチ３２１を操作することにより、電池３３から駆動回路３１に電源が投入され、駆動回路３１が起動し、表示画面が消去される。このような構成にすることにより、簡易な操作で表示画面を消去することができる。
【００３４】
図６にスイッチ３２の他の具体例を示す。
【００３５】
先ず、表示消去部３０に、図３で示した駆動回路３１、スイッチ３２、電池３３に加えて、図６に示すように、落下や外部からの負荷等による衝撃を検知する衝撃検知部３５を設ける。そして、スイッチ３２としては、衝撃検知部３５の検知結果に基づき作動するスイッチ３２２を用いる。このような構成にすることにより、衝撃により故障が想定された場合、使用者の操作に拠らず表示画面を消去することができので、セキュリティ機能をさらに高めることができる。
【００３６】
このように本発明の実施形態に係る情報表示端末１においては、画像データを表示部１０に出力し、該表示部１０の動作を制御する表示制御部２０と独立して、表示部１０の表示内容を消去する表示消去部３０を配備する構成とした。したがって、例えば、情報表示端末１の落下や外部からの負荷等による故障により、表示制御部２０自身が機能しなくなった場合においても、表示制御部２０と独立して配備された表示消去部３０により表示画面を消去することができる。これにより、機密情報の流失を防止することができ、セキュリティ機能を高めることができる。
【図面の簡単な説明】
【００３７】
【図１】本発明の実施形態に係る情報表示端末の外観正面図である。
【図２】情報表示端末の概略構成を示すブロック図である。
【図３】表示消去部の概略構成を示すブロック図である。
【図４】表示消去部の駆動回路の構成を示す図である。
【図５】表示消去部のスイッチの一例を示す図である。
【図６】表示消去部のスイッチの他の例を示す図である。
【符号の説明】
【００３８】
１  情報表示端末
１０  表示部
１０１  列電極
１０２  行電極
２０  表示制御部
２１  ＣＰＵ
２２  表示ドライバ
３０  表示消去部
３１  駆動回路
３１１  列ショート回路
３１２  行ショート回路
３２  スイッチ
３２１  押しボタンスイッチ
３２２  スイッチ
３３  電池
３５  衝撃検知部
５１１  電源スイッチ
５１２  十字キー
Ｐｘ  表示素子
【図１】
2009175315.tif 000003
【図２】
2009175315.tif 000004
【図３】
2009175315.tif 000005
【図４】
2009175315.tif 000006
【図５】
2009175315.tif 000007
【図６】
2009175315.tif 000008